(57)【特許請求の範囲】
【請求項１】
所定深さの複数のポケットが成形されたポケットシート１と、該ポケットシート１のポケット内に装填された所定内容物Ｃと、該ポケットシート１の開口面側を被覆密封した被覆シート２からなるＰＴＰ（プレススルーパック）包装体であって、該被覆シート２が、少なくとも合成樹脂製の外面層３と合成樹脂製の接着性内面層４とによる非金属素材により積層構成され、前記被覆シート２の少なくとも内面側に易開封性擦過傷が付与されているＰＴＰ包装体において、前記被覆シート２を構成する外面層３と接着性内面層４との積層内面のいずれか一方若しくは両方に、毛書き線状パターンによる易開封性擦過傷が付与され、前記外面層３と接着性内面層４のいずれか一方若しくは両方が少なくとも一軸延伸フィルムであり、且つその延伸配向方向と易開封性擦過傷のカット方向とが略等しい方向であることを特徴とするＰＴＰ包装体。
【請求項２】
請求項１記載のＰＴＰ包装体において、前記外面層３と接着性内面層４とが、互いに接着剤若しくは熱溶融性樹脂を介して接着していることを特徴とするＰＴＰ包装体。
【請求項３】
請求項１又は請求項２記載のＰＴＰ包装体において、前記外面層３と接着性内面層４とが、互いにドライラミネート方式若しくはエクストルーダーラミネート方式にて接着していることを特徴とするＰＴＰ包装体。
【発明の詳細な説明】
【０００１】
【発明の属する技術分野】
本発明は、所定深さの複数のポケットを規則的に備えたプラスチック製のポケットシートのポケット内に、食品、医薬錠剤、ガラスアンプルなどの内容物を装填し、ポケット開口部を別の被覆シートにより被覆して密封包装したプレス・スルー・パックと称するＰＴＰ包装体に関する。
【０００２】
【従来の技術】
従来の上記ＰＴＰ包装体の密封包装に使用する被覆シートの素材としては、フレキシブルなプラスチックシートとアルミニウム箔とのラミネートシート、又は硬質のプラスチックシートとアルミニウム箔とのラミネートシートが使用されている。
【０００３】
また、内容物を装填するポケットシートの素材としては、ポリ塩化ビニル、ポリプロピレン、ポリエチレンテレフタレートなどが使用され、また、防湿性を付与するために水蒸気バリア性の高いポリ塩化ビニリデンをコーティンクしたものなどが使用されている。
【０００４】
このＰＴＰ包装体は、ポケット外側から錠剤などの内容物を被覆シート側に押圧し、その内容物による押圧力によって被覆シートを破断開封して、内容物を包装体内より取り出して使用するものである。
【０００５】
【発明が解決しようとする課題】
このようなＰＴＰ包装体の被覆シートには、従来はプラスチックシートとアルミニウム箔とのラミネートシートが使用されているため、固形内容物を取り出した後のＰＴＰ包装体の廃棄処理においては、プラスチックとアルミニウム箔とを含んでいるために、自然環境の維持保全の観点から簡単な廃棄処理ができない問題がある。
【０００６】
また、従来のＰＴＰ包装体においては、その包装体の製造作業中や、包装体の開封中に、アルミ金属箔によって手を傷付けたりする心配があり、また、開封時に、破断したアルミ金属箔の破片を内容物と一緒に飲み込んでしまう危険性もある。
【０００７】
本発明は、使用後の空になったＰＴＰ包装体の廃棄処理を容易にできるようにするとともに、包装体製造作業中や包装体開封中におけるアルミ金属箔による手指に対する損傷や、破断したアルミ金属箔の破片を飲み込む危険性を回避することにある。
【０００８】
【課題を解決するための手段】
本発明の請求項１に係る発明は、所定深さの複数のポケットが成形されたポケットシート１と、該ポケットシート１のポケット内に装填された所定内容物Ｃと、該ポケットシート１の開口面側を被覆密封した被覆シート２からなるＰＴＰ（プレススルーパック）包装体であって、該被覆シート２が、少なくとも合成樹脂製の外面層３と合成樹脂製の接着性内面層４とによる非金属素材により積層構成され、前記被覆シート２の少なくとも内面側に易開封性擦過傷が付与されているＰＴＰ包装体において、前記被覆シート２を構成する外面層３と接着性内面層４との積層内面のいずれか一方若しくは両方に、毛書き線状パターンによる易開封性擦過傷が付与され、前記外面層３と接着性内面層４のいずれか一方若しくは両方が少なくとも一軸延伸フィルムであり、且つその延伸配向方向と易開封性擦過傷のカット方向とが略等しい方向であることを特徴とするＰＴＰ包装体である。
【００１１】
次に、本発明の請求項２に係る発明は、上記請求項１に係る発明のＰＴＰ包装体において、前記外面層３と接着性内面層４とが、互いに接着剤若しくは熱溶融性樹脂を介して接着していることを特徴とするＰＴＰ包装体である。
【００１２】
次に、本発明の請求項３に係る発明は、上記請求項１又は請求項２に係る発明のＰＴＰ包装体において、前記外面層３と接着性内面層４とが、互いにドライラミネート方式若しくはエクストルーダーラミネート方式にて接着していることを特徴とするＰＴＰ包装体である。
【００１５】
【発明の実施の形態】
本発明のＰＴＰ包装体の発明の実施の形態を、図１に示すＰＴＰ包装体の側断面図に従って以下に詳細に説明する。
【００１６】
本発明の第１の実施の形態としてのＰＴＰ包装体は、所定深さの複数の凹部状のポケット１ａが、熱間真空成形法、熱間圧空成形法など適宜プラスチックシート成形方式により成形されたプラスチック製のポケットシート１を備える。
【００１７】
該ポケットシート１の各ポケット１ａ内には、所定の内容物Ｃが装填され、そのポケット開口部側の平坦面には被覆シート２が重ね合わせられて被覆され、互いの重ね合わせ面は熱融着により接着されて各ポケット１ａが密封されている。
【００１８】
被覆シート２は、図１に示すように、合成樹脂製の外面層３と、合成樹脂製の接着性内面層４とによる非金属素材にて二層に積層構成され、ラミネートにより互いに貼り合わせられて接着されているか、又はコーティングにより積層されている。
【００１９】
図１に示すように、外面層３と内面層４は、無延伸の合成樹脂フィルムにより形成されていてもよいし、又はそのいずれか一方又は両方は、一軸延伸フィルムにより形成されていて、その延伸軸方向に容易に引き裂き開封できるようになっていてもよい。
【００２０】
本発明の第２の実施の形態としてのＰＴＰ包装体は、同図１に示すように、被覆シート２は非金属製であって、合成樹脂製の外面層３と合成樹脂製の接着性内面層４とにより二層に積層構成され、被覆シート２の外面層３の内面側に、略全面的に易開封性擦過傷３ａが付与され、この擦過傷３ａは、一方向（等方向）又は多方向（異方向）に延びる多数の細い毛書き線状パターンであり、外面層３は、この擦過傷３ａに沿って破断され易くなっており、したがって、被覆シート２は接着性内面層４を含めて破断され易くなっているものである。
【００２１】
なお、上記第２の実施の形態のＰＴＰ包装体としては、その他に、同図１における外面層３内面の擦過傷３ａと対面する接着性内面層４の内面側にも、擦過傷３ａと同一方向又は異なる方向に同様の擦過傷が設けられていてもよい。
【００２２】
図２は、本発明の第３の実施の形態としてのＰＴＰ包装体の側断面図であり、被覆シート２が三層に積層構成されていて、外面層３と内面層４が接着層５により積層接着されていて、外面層３の内面には、略全面的に易開封性擦過傷３ａが付与され、この擦過傷３ａは、上記第２の実施例と同様に一方向（等方向）又は多方向（異方向）に延びる多数の細い毛書き線状パターンであり、外面層３は、この擦過傷３ａに沿って破断され易くなっており、したがって、被覆シート２は接着性内面層４、接着層５を含めて破断され易くなっているものである。
【００２３】
図３は、本発明の第４の実施の形態としてのＰＴＰ包装体の側断面図であり、被覆シート２が、上記第３の実施の形態と同様に三層に積層構成され、外面層３と内面層４が接着層５により積層接着されているが、外面層３の内面に略全面的に易開封性擦過傷３ａが付与され、また、接着層５と対面する接着性内面層４の内面側にも、外面層３の擦過傷３ａと同一方向又は異なる方向に同様の易開封性擦過傷４ａが設けられているものである。
【００２４】
本発明のＰＴＰ包装体におけるポケットシート１の素材としては、ポリ塩化ビニル、ポリプロピレン、ポリエチレン、ポリエチレンテレフタレート、ポリスチレン、ポリアミドなどのプラスチックシートが使用され、また、防湿性を付与するために水蒸気バリア性の高いポリ塩化ビニリデンをコーティンクしたものなどが使用される。
【００２５】
被覆シート２を構成する外面層３の素材としては、ポリエチレンテレフタレート、ポリプロピレン、ポリエチレンなどの無延伸又は延伸されたプラスチックフィルムが使用でき、また、接着性内面層４の素材としては、前記外面層３の素材に対して接着性があり、且つポケットシート１の各ポケット１ａの開口部外周の平坦面にヒートシール（超音波加熱シール、高周波加熱シール、電熱ヒーター加熱シールなど）の可能なポリオレフィン系（ポリエチレン系、ポリプロピレン系）の熱接着性樹脂、又はこれらの無延伸又は延伸されたフィルムが使用できる。
【００２６】
被覆シート２の外面層３と接着性内面層４との積層は、ラミネート方式又はコーティング方式のいずれでもよく、ラミネート方式の場合には、ドライラミネート、エクストルーダーラミネート、又はウエットラミネートのいずれでもよい。
【００２７】
また、被覆シート２を構成する外面層３と内面層４とを接着ラミネートする接着層５の層構成材料としては、ドライラミネート用、エクストルーダーラミネート用、ウエットラミネート用の接着性樹脂若しくは接着剤が使用でき、例えばポリウレタン系等のドライラミネート用接着剤、又はポリエチレン系の熱溶融性樹脂等が使用できる。
【００２８】
本発明において、外面層３のフィイルム内面、又は外面層３若しくは接着層５と対面する内面層４のフィルム内面に形成する易開封性擦過傷３ａ、４ａは、その傷付け処理方向が同一方向（等方向）でもよいし、多方向（異方向）でもよいが、フィルムとして延伸フィルム（一軸延伸又は二軸延伸）を用いる場合は、そのフィルムの延伸配向方向と揃う方向（略等しい方向）に傷付け処理を施すことが適当である。
【００２９】
また、易開封性擦過傷３ａ、４ａは、フィルムに対して未貫通の状態に付与された擦過傷であり、該フィルム面に、この擦過傷３ａ、４ａのように傷付け処理加工することにより、被覆シートが総プラスチック製であるにも係わらず、アルミニウム箔に匹敵するＰＴＰ包装体としての易開封適性（プレス・スルー適性；押圧開封適性）が付与できるものである。
【００３０】
本発明において易開封性擦過傷３ａ、４ａは、フィルム表面に付与されず、フィルム内面側に付与されるため、表面（外面）に傷が現出せず、ＰＴＰ包装体の被覆シート２表面の美粧性に優れ、また、被覆シート２表面への印刷適性が良好であり、また、擦過傷３ａ、４ａを付与加工後のラミネートにより、傷付け部分からフィルムに貫通孔が発生するような心配もない。
【００３１】
また、本発明の被覆シート２は、ラミネートされる外面層３のフィルムと内面層４のフィルムのラミネート内面のいずれか一方若しくは両方に未貫通状態に傷付け処理を施して易開封性擦過傷を形成した後に、それぞれ擦過傷の形成された面を互いに対向させてラミネートすることによって、フィルム表面に擦過傷が現出したり貫通孔が生じたりせず、また、たとえ貫通孔が生じても、ラミネート用の接着層５（接着剤、熱溶融樹脂）により生じた孔を埋設することができ、閉塞性や密封性が確保できるだけでなく、フィルム表面の外観を損なうようなことが無く綺麗なラミネート表面が形成できる。
【００３２】
例えば、被覆シート２の外面層３の表面に傷付け処理を施した場合には、被覆シート２の外観の美粧性が損なわれ、表面の平滑性や、印刷適性も劣るものであるが、本発明における被覆シート２は、その内面に傷付け処理を施してあるためＰＴＰ包装体の外観美粧性、表面の平滑性、良好な印刷適性などが得られるものである。
【００３３】
【発明の効果】
本発明のＰＴＰ包装体は、ポケットシート及び被覆シートの全ての素材が合成樹脂であり、被覆シートは非金属製であるため、使用後の空になったＰＴＰ包装体の廃棄処理においてプラスチック材と金属材とに仕分けする手間が省け、容易に廃棄処理でき、また、包装体製造作業中や包装体開封中における従来のような被覆シートのアルミ金属箔による手指に対する損傷や、破断したアルミ金属箔の破片を飲み込む危険性を回避できる効果がある。
【００３４】
また、総プラスチック製であるにも係わらず、被覆シートは形成された擦過傷によって容易に押圧開封（プレス・スルー）して内容物を取り出すことができ、また、容易開封性を保持しつつ閉塞性や密封性が確保できる。
【００３５】
また、容易開封性を付与する擦過傷は、被覆シートの構成フィルム内面に形成されているため、被覆シート表面の外観を損なうようなことが無く、綺麗なラミネート表面が形成でき、良好な印刷適性も得られる効果がある。
【図面の簡単な説明】
【図１】本発明のＰＴＰ包装体の第１の実施の形態を説明する側断面図。
【図２】本発明のＰＴＰ包装体の第２の実施の形態を説明する側断面図。
【図３】本発明のＰＴＰ包装体の第３の実施の形態を説明する側断面図。
【符号の説明】
１…ポケットシート  １ａ…ポケット（凹部状容器部）
２…被覆シート  ３…外面層  ３ａ…易開封性擦過傷  ４…内面層
４ａ…易開封性擦過傷  ５…接着層
Ｃ…内容物
【図１】
0004172104.tif 000002
【図２】
0004172104.tif 000003
【図３】
0004172104.tif 000004